(57)【要約】【課題】主画像情報Ｉｍに複製が困難な状態で副画像情報Ｉｓを埋め込んだ合成画像情報Ｉｃを生成することができ、上記のような合成画像情報Ｉｃを記録した記録物Ｐ１のコピー耐性を向上させることができる。【解決手段】画像処理装置１０は、主走査方向と副走査方向とに画素が並べられた主画像情報Ｉｍを取得し、副画像情報Ｉｓによって縦方向と横方向とに所定のパターンで画素が並べられた所定の画素パターンＨを色差変調し、この色差変調された画像情報を前記主画像情報の主走査方向に対して所定の角度傾けた状態で前記主画像情報Ｉｍに重畳した合成画像情報Ｉｃを生成し、その合成画像情報Ｉｃを記録媒体Ｐ０に記録させるようにしたものである。【選択図】      図１
2009065364.tif 000002
【特許請求の範囲】
【請求項１】
主走査方向と副走査方向とに画素が並べられた主画像情報に副画像情報を埋め込む画像処理方法において、
副画像情報によって縦方向と横方向とに所定のパターンで画素を並べた所定の画素パターンを色差変調し、
この色差変調された画像情報を主画像情報の主走査方向に対して所定の角度傾けた状態で主画像情報に重畳する重畳処理を行う、
ことを特徴とする画像処理方法。
【請求項２】
前記色差変調のための所定の画素パターンは、千鳥格子状に各画素を並べたパターンである、
ことを特徴とする前記請求項１に記載の画像処理方法。
【請求項３】
前記副画像情報は、２値画像である、
ことを特徴とする前記請求項１又は２に記載の画像処理方法。
【請求項４】
前記主画像情報は、カラー画像である、
ことを特徴とする前記請求項１乃至３に記載の画像処理方法。
【請求項５】
前記重畳処理は、前記色差変調された画像情報を主画像情報の主走査方向に対して４５度以下の角度で傾けた状態で当該主画像情報に重畳する、
ことを特徴とする前記請求項１乃至４に記載の画像処理方法。
【請求項６】
主走査方向と副走査方向とに画素が並べられた主画像情報に副画像情報を埋め込む画像処理装置において、
副画像情報によって縦方向と横方向とに所定のパターンで画素を並べた所定の画素パターンを色差変調する色差変調手段と、
この色差変調手段により色差変調された画像情報を主画像情報の主走査方向に対して所定の角度傾けた状態で主画像情報に重畳する重畳手段と、
を有することを特徴とする画像処理装置。
【請求項７】
前記色差変調のための所定の画素パターンは、千鳥格子状に各画素を並べたパターンである、
ことを特徴とする前記請求項６に記載の画像処理装置。
【請求項８】
前記副画像情報は、２値画像である、
ことを特徴とする前記請求項６又は７に記載の画像処理装置。
【請求項９】
前記主画像情報は、カラー画像である、
ことを特徴とする前記請求項６乃至８に記載の画像処理装置。
【請求項１０】
前記重畳手段は、前記色差変調手段により色差変調された画像情報を主画像情報の主走査方向に対して４５度以下の角度で傾けた状態で前記主画像情報に重畳する、
ことを特徴とする前記請求項６乃至９に記載の画像処理装置。
【請求項１１】
主走査方向と副走査方向とに並べられた画素が記録されている記録物において、
副画像情報によって縦方向と横方向とに所定のパターンで画素を並べた所定の画素パターンを色差変調した画像情報が、主走査方向と副走査方向とに画素が並べられている主画像情報の主走査方向に対して所定の角度傾けた状態で前記主画像情報に重畳されている合成画像情報が記録されている、
ことを特徴とする記録物。
【請求項１２】
前記色差変調のための所定の画素パターンは、千鳥格子状に各画素を並べたパターンである、
ことを特徴とする前記請求項１１に記載の記録物。
【請求項１３】
前記副画像情報は、２値画像である、
ことを特徴とする前記請求項１１又は１２に記載の記録物。
【請求項１４】
前記主画像情報は、カラー画像である、
ことを特徴とする前記請求項１１乃至１３に記載の記録物。
【請求項１５】
前記色差変調された画像情報は、合成画像情報の主走査方向に対して４５度以下の角度で傾けた状態で主画像情報に重畳されている、
ことを特徴とする前記請求項１１乃至１４に記載の記録物。
【発明の詳細な説明】
【技術分野】
【０００１】
この発明は、たとえば、主画像（主画像情報）に主画像とは異なる副情報（副画像情報）を重畳するための画像処理方法、画像処理装置および主画像に副画像が重畳されている合成画像を記録した記録物などに関する。
【背景技術】
【０００２】
近年、情報の電子化やインターネットの普及に伴って、画像の偽造あるいは変造を防止するために電子透かし、電子署名などの技術が重要視されるようになっている。特に、主画像に付加情報（副情報）を人の目では視認できない状態（不可視状態）で埋め込む電子透かし技術は、ＩＤ証あるいは著作権情報を埋め込んだ写真に対する不正コピー、偽造、改ざん対策として用いられている。  
従来、電子透かし技術としては、人間が感知しにくい高い空間周波数成分および色差成分の特性を利用して、印刷物に印刷すべき主画像データに対して副画像データを埋め込む方法が開示されている（たとえば、特許文献１）。また、光学フィルタで確認できる電子透かしの印刷装置も開示されている（たとえば、特許文献２）。
【０００３】
従来の電子透かし埋め込み技術では、以下のような特性を利用して主画像に副（画像）情報を不可視状態で埋め込むことが可能になっている。  
【０００４】
（１）人間の視覚特性を利用する。
・画像周波数が高くなるほど階調識別能力が低下
・輝度情報よりも色差情報の方が判別困難
（２）補色の関係を利用する。
・例…赤色＋シアン色＝無彩色（白）  （加法混色の場合）
（３）高周波キャリアパターン画像に補色の関係および色差情報を利用する（色差格子パターンによる色差変調処理）。
【０００５】
（２）の手法では、補色の関係にある色同士が隣り合っている場合、それらの色が人間の目には判別しにくく無彩色に見えるという特性を利用するものである。たとえば、加法混色の場合、赤色とシアン色（＝緑色＋青色）とが補色の関係にあり、赤色とシアン色が隣り合っていても、人間の目には判別しにくく無彩色に見える。また、（３）の手法では、高周波キャリアパターン画像が赤色リッチな画素とシアン色リッチな画素とが繰り返し配置された色差格子パターンにより構成される。これにより、人間の目ではこれらの細かな色差の違いを識別できない。つまり、（３）の手法では、色差量をプラスマイナス０と判断してしまう人間の視覚特性を利用している。
【０００６】
上記のような電子透かし技術により主画像に埋め込まれた副情報は、鍵情報を用いて復元される。このような鍵情報を用いた副情報の復元処理が、主画像に副情報を埋め込んだ合成画像の真偽を判定する処理に用いられる。たとえば、上記電子透かし技術により副情報が不可視状態で主画像に埋め込まれている画像（以下、合成画像と称する）が印刷されている記録物の真偽判定を行う場合を想定する。この場合、記録物に印刷されている合成画像をスキャナあるいはカメラ等の入力デバイスによりデジタル画像情報として読み取る。読み取ったデジタル画像情報としての合成画像に、鍵情報としての特定周波数の情報に応じた周波数成分を有するデジタルフィルタを施すことにより、色差情報として埋め込まれている副情報が復元される。このような復元処理の結果に基づいて、上記記録物の真偽が判定される。
【０００７】
しかしながら、上記のような従来の電子透かし技術では、以下のような課題がある。  
従来の電子透かし技術により生成された合成画像が印刷された記録物は、高解像度なスキャナと高精細なプリンタとを用いて、偽物が作成される可能性がある。通常、スキャナによる読取り解像度とプリンタによる印刷解像度とは、完全に一致していないことが多い。このため、スキャナで読み込んだ画像データをプリンタで記録媒体に印刷する場合、画像データの解像度を変換する解像度変換が必要となるのがほとんどである。一般的に、解像度変換では、注目画素の周囲の画素の画素値の平均を取ることにより画素の補間が行われる。
【０００８】
たとえば、上記色差格子パターンによる色差変調処理を利用して生成された合成画像は、合成画像の縦方向と横方向、つまり、印刷時における主走査方向と副走査方向に並んでいる。このため、上記のような解像度変換を行った場合、合成画像における色差格子パターンが保存されてしまう可能性がある。これは、上記のような解像度変換の画素補間処理では、色差格子パターンと関りのある複数の画素で画素が補間されてしまうためである。すなわち、色差格子パターンが保存された画像データをプリンタにより記録媒体に印刷すると、色差格子パターンが保存された合成画像が印刷された記録物（コピーされた記録物）が作成されてしまう可能性がある。色差格子パターンが保存された状態でコピーされた記録物では、記録物の真偽を判定するための副情報の復元が可能となってしまう。言い換えれば、従来の上記色差格子パターンによる色差変調処理を利用して生成された合成画像を印刷した記録物では、本物と同等の偽物（コピーされた記録物）を作り出せてしまう可能性があるという問題がある。
【特許文献１】特開平９−２４８９３５号
【特許文献２】特開２００１−３６８３４６号
【発明の開示】
【発明が解決しようとする課題】
【０００９】
この発明の一形態では、複製が困難な合成画像情報を生成する画像処理方法、画像処理装置、および、複製が困難な合成画像情報が記録されている記録物を提供することを目的とする。
【課題を解決するための手段】
【００１０】
この発明の一形態としての画像処理方法は、主走査方向と副走査方向とに画素が並べられた主画像情報に副画像情報を埋め込む方法において、副画像情報によって縦方向と横方向とに所定のパターンで画素を並べた所定の画素パターンを色差変調し、この色差変調された画像情報を主画像情報の主走査方向に対して所定の角度傾けた状態で主画像情報に重畳する重畳処理を行う。
【００１１】
この発明の一形態としての画像処理装置は、主走査方向と副走査方向とに画素が並べられた主画像情報に副画像情報を埋め込むものにおいて、副画像情報によって縦方向と横方向とに所定のパターンで画素を並べた所定の画素パターンを色差変調する色差変調手段と、この色差変調手段により色差変調された画像情報を主画像情報の主走査方向に対して所定の角度傾けた状態で主画像情報に重畳する重畳手段とを有する。
【００１２】
この発明の一形態としての記録物は、主走査方向と副走査方向とに並べられた画素が記録されているものにおいて、副画像情報によって縦方向と横方向とに所定のパターンで画素を並べた所定の画素パターンを色差変調されている画像情報が、主走査方向と副走査方向とに画素が並べられている主画像情報の主走査方向に対して所定の角度傾けた状態で前記主画像情報に重畳されている合成画像情報が記録されている。
【発明の効果】
【００１３】
この発明の一形態によれば、複製が困難な合成画像情報を生成することができる画像処理方法、画像処理装置、および、複製が困難な合成画像情報が記録されている記録物を提供できる。
【発明を実施するための最良の形態】
【００１４】
以下、この発明を実施するための最良の形態について図面を参照しつつ詳細に説明する。  
まず、第１の実施の形態について説明する。  
図１は、第１の実施の形態に係る画像処理装置１０の構成例を示す図である。  
上記画像処理装置１０は、ＣＰＵ、ＲＡＭ、ＲＯＭ、書換え可能な不揮発性の記憶装置、および、各種のインターフェースなどにより構成される。たとえば、上記画像処理装置１０は、パーソナルコンピュータなどの電子計算機、あるいは、専用の処理ボードなどにより構成される。なお、以下の説明において、画像処理装置１０は、電子計算機により構成されるものを想定することとする。
【００１５】
また、上記画像処理装置１０、外部装置２およびプリンタ３は、印刷物を作成するための画像処理システムを構成している。すなわち、上記画像処理装置１０は、上記外部装置２および上記プリンタ３に接続されている。上記外部装置２は、上記画像処理装置１０に対して記録媒体に記録すべき情報（画像情報）を供給するものである。上記外部装置２は、カメラ、スキャナなどの画像を画像情報に変換するものであっても良いし、記憶媒体から画像情報を読み取るものであっても良い。上記プリンタ３は、上記画像処理装置１０から供給される印刷データとして供給される合成画像情報を初期状態の記録媒体Ｐ０に印刷するものである。これにより、上記プリンタ３は、上記画像処理装置１０により生成された合成画像情報を印刷した記録物Ｐ１を作成する。
【００１６】
上記画像処理装置１０は、図１に示すように、画像入力部１１、平滑処理部１２、位相変調処理部１３、色差変調処理部１４、回転処理部１５、重畳処理部１６、画像出力部１７などを有している。上記平滑処理部１２、位相変調処理部１３、色差変調処理部１４、回転処理部１５、重畳処理部１６は、電子計算機で動作するアプリケーションプログラムにより実現されるものとする。また、上記平滑処理部１２、位相変調処理部１３、色差変調処理部１４、回転処理部１５、重畳処理部１６は、それぞれ専用のハードウエアで構成するようにしても良い。
【００１７】
上記画像入力部１１は、記録媒体に印刷すべき画像情報を入力するものである。上記画像入力部１１は、たとえば、外部装置２から画像情報を入力するためのインターフェースにより構成される。  
上記画像入力部１１では、主画像情報Ｉｍを上記外部装置２から取得する。上記主画像情報Ｉｍは、上記副画像情報Ｉｓが重畳される画像情報である。ここで、上記主画像情報Ｉｍとしての画像情報は、縦方向及び横方向に並べられた画素群により構成されているものとする。たとえば、上記主画像情報Ｉｍは、多階調のカラーの画素からなるカラー階調画像情報である。上記主画像情報Ｉｍとしてのカラー画像情報の各画素は、たとえば、２４ビット（ＲＧＢ各色８ビット）の情報を持っているものとする。
【００１８】
また、上記画像入力部１１は、副画像情報Ｉｓも上記外部装置２から取得するようにしても良い。但し、副画像情報Ｉｓは、画像処理装置１０内の図示しないメモリに予め記憶されているものであっても良いし、上記画像処理装置１０が外部装置２から与えられる情報（たとえば、テキスト情報）などから生成するものであっても良い。ここで、上記副画像情報Ｉｓとしての画像情報は、縦方向及び横方向に並べられた画素群により構成されているものとする。たとえば、上記副画像情報Ｉｓは、２値の画素からなる２値画像情報である。上記副画像情報Ｉｓとしての２値画像情報の各画素は、たとえば、１ビットの情報を持っているものとする。
【００１９】
上記平滑処理部１２は、副画像情報に対して、平滑化処理を行うものである。たとえば、上記平滑処理部１２は、平滑化処理として、副画像情報における各画素を黒画素と白画素とに判別し、黒画素を「１」とし、白画素を「０」とする処理を行う。また、上記平滑処理部１２は、副画像情報の横方向に対して複数画素の領域を切り出して、重み平均を取ることにより、黒画素と白画素とを判別するようにしても良い。
【００２０】
上記位相変調処理部１３は、所定の画素パターンに基づいて位相変調処理を行うものである。ここでは、所定の画素パターンとして、千鳥格子状に並べられた２値の画素からなる色差格子パターン（以下、単に、格子パターンとも称する）Ｈが予め設定されているものとする。すなわち、上記位相変調処理部１３は、上記平滑処理部１２により平滑化処理された副画像情報を格子パターンＨに基づいて位相変調を行う。  
たとえば、上記画像処理装置１０では、上記格子パターンＨは、２×２（黒あるいは白が交互に存在している）の画素パターンであるものとする。この場合、上記画像処理装置１０では、格子パターンＨとしての２×２（黒あるいは白が交互に存在している）の画素パターンは、４５度右または左に回転させられる。なお、上記格子パターンＨの各画素は、１ビットの情報を持っているものとする。また、上記格子パターンＨは、上記主画像情報Ｉｍに埋め込まれている副画像情報Ｉｓを復元する場合の鍵情報としても用いられる情報である。
【００２１】
上記色差変調処理部１４は、所定の色差量により色差変調処理を行うものである。すなわち、上記色差変調処理部１４は、上記位相変調処理部１３により格子パターンＨで位相変調された副画像情報を所定の色差量ΔＣｄとに基づいて色差変調する。色差変調処理では、各画素についてＲ（赤）、Ｇ（緑）、Ｂ（青）の３成分を別々に計算する。ここでは、格子パターンＨの黒に対応する部分は、Ｒデータを＋ΔＣｄ、ＧおよびＢデータを−ΔＣｄとするものとする。また、格子パターンＨの白に対応する部分は、Ｒデータを−ΔＣｄ、ＧおよびＢデータを＋ΔＣｄとするものとする。
【００２２】
ここでは、上記色差変調処理部１４は、副画像情報における格子パターンＨに相当する各画素を千鳥状に並び替え、並び替えた画像情報について格子パターンＨに相当する各画素のＲ、Ｇ、Ｂの各色のデータを所定の色差量ΔＣｄに基づいて変調するものとする。このような色差変調処理によれば、隣接する画素間における色差量は足し合わせると「０」になる。
【００２３】
上記回転処理部１５は、画像情報を回転させる回転処理を行うものである。すなわち、上記回転処理部１５は、上記色差変調処理部１４により色差変調された画像情報（被埋め込み画像）を所定の角度回転させる。上記回転処理部１５は、たとえば、４５度以下の回転角度で被埋め込み画像情報を回転させる。なお、上記回転処理部１５による回転処理については、後で詳細に説明するものとする。
【００２４】
上記重畳処理部１６は、主画像情報Ｉｍに被埋め込み画像情報（上記のような処理が施された副画像情報Ｉｓ）を重畳する重畳処理を行うものである。すなわち、上記重畳処理部１６は、上記画像入力部１１により入力した主画像情報Ｉｍに上記回転処理部１５により回転処理された被埋め込み画像情報を重畳する処理を行う。これにより、当該画像処理装置１０では、主画像情報Ｉｍに副画像情報Ｉｓを埋め込んだ合成画像情報Ｉｃを作成する。ここでは、上記重畳処理部１６は、主画像情報Ｉｍを構成するＲ，Ｇ，Ｂの各値からなる各画素に対して、上記回転処理部１５により回転処理された副画像情報Ｉｓにおける各画素のＲ、Ｇ、Ｂの各値を足し合わせることにより、主画像情報Ｉｍに副画像情報Ｉｓを重畳する。また、主画像情報Ｉｍに副画像情報Ｉｓを埋め込んだ合成画像情報Ｉｃは、上記重畳処理部１６から画像出力部１７へ供給される。
【００２５】
なお、上記平滑処理部１２、上記位相変調処理部１３、上記色差変調処理部１４、および、上記重畳処理部１６における各処理には、特開平１２−１７８６１７公報あるいは特開２００１−３６８３４公報などに記述されている電子透かし処理手法に用いられる各処理を適用することが可能である。
【００２６】
上記画像出力部１７は、上記重畳処理部１６により生成された合成画像を記録媒体Ｐ０に印刷する印刷データとしてプリンタ３へ出力するものである。上記プリンタ３では、上記画像出力部１７から出力された合成画像情報Ｉｃを含む印刷データにより記録媒体Ｐ０に合成画像情報Ｉｃを印刷する。これにより、主画像情報Ｉｍに副画像情報Ｉｓを不可視状態で埋め込んだ合成画像情報Ｉｃを印刷した記録物Ｐ１が作成される。
【００２７】
次に、上記画像処理装置１０により生成される合成画像情報Ｉｃについて説明する。  
図２は、合成画像情報Ｉｃの一部における画素配列の例を示している。また、図３は、副画像情報Ｉｓの一部における画素配列の例を示している。なお、図２に示す格子パターンＨ（Ｈａ、Ｈｂ、Ｈｃ）は、図３に示す黒画素に対応した位置となっている。
【００２８】
図２に示す合成画像情報Ｉｃにおいて、格子パターンＨ（Ｈａ、Ｈｂ、Ｈｃ）は、千鳥格子状に配列された２値の画素からなるパターンであり、主画像情報の横方向（主走査方向）あるいは縦方向（副走査方法）に対して４５度傾いた状態となっている。図２に示す格子パターンＨ（Ｈａ、Ｈｂ、Ｈｃ）に対応する画素は、上記位相変調処理により、それ以外の画素と９０度位相がずれた状態になっている。上記格子パターンＨに対応する画素以外の画素は、格子パターンＨとは無関係であり、主画像情報Ｉｍの画素のままとなっている。すなわち、図２に示す合成画像情報Ｉｃは、上記格子パターンＨ（Ｈａ、Ｈｂ、Ｈｃ）の位相を変調することにより、副画像情報Ｉｓを主画像情報Ｉｍに重畳させている。
【００２９】
次に、上記格子パターンＨの傾き角度について説明する。  
主画像情報Ｉｍ（合成画像情報Ｉｃ）の主走査方向の解像度と副走査方向の解像度とが同じである場合、格子パターンＨの傾き角度は、図３に示すように、主画像情報Ｉｍの主走査方向に対して４５度となっている。しかしながら、一般的なインクジェット方式のプリンタなどでは、主走査方向の解像度と副走査方向の解像度とが異なる場合が多い。たとえば、副走査方向の解像度が主走査方向の解像度の倍の解像度である場合、主画像情報Ｉｍの主走査方向に対する格子パターンＨの傾き角度は、約２６．６度が好ましい。
【００３０】
つまり、主走査方向の解像度に対する副走査方向の解像度が大きくなると、主画像情報に対する格子パターンＨの傾き角度は、さらに小さくなっていくことになる。通常、プリンタでは、主走査方向の解像度よりも副走査方向の解像度が大きいのが一般的である。このため、主画像情報Ｉｍの主走査方向に対する格子パターンＨの傾き角度は、４５度以下となる。すなわち、主画像情報の主走査方向に対する格子パターンＨの傾き角度は、合成画像情報を記録媒体に印刷する際の主走査方向の解像度と副走査方向の解像度とに応じて設定される。
【００３１】
なお、主画像情報に副画像情報を埋め込むために、位相変調するための画素パターンは、千鳥格子状に並べた格子パターンに限定されるものではない。たとえば、主走査方向に２画素を千鳥状に並べたパターンなども考えられる。但し、位相変調処理に用いられるパターンは、どのような画素パターンであっても、主走査方向（あるいは副走査方向）に対して、４５度以下の傾き角度とするものとする。
【００３２】
次に、上記合成画像情報Ｉｃのコピー耐性について説明する。
【００３３】
ここでは、上記合成画像情報Ｉｃが印刷された記録物上の画像をスキャナなどで読み込み、スキャナで読み取った画像をプリンタで別の記録媒体に印刷することによりコピーを行う場合を想定する。一般には、スキャナの解像度とプリンタの解像度とは異なる。このため、コピーされる画像情報には、スキャナによる画像読取時の解像度をプリンタによる画像印刷時の解像度に変換する解像度変換処理が施される。このような解像度変換処理では、注目画素とその周辺の画素との平均を取ることにより、画像情報が印刷時の解像度に変換される。
【００３４】
上記合成画像情報Ｉｃでは、上述したように、格子パターンに対応した画素の周辺（隣接する画素）に色差格子パターンとは無関係な画素が配置されている。したがって、上記解像度変換処理では、格子パターンに対応した画素と格子パターンとは無関係な画素との平均を取る可能性が高い。これは、格子パターンの情報が壊れる可能性が高いことを示している。格子パターンの情報が壊れると、上記合成画像情報Ｉｃからは、重畳されている副画像情報Ｉｓを復元することができなくなる。副画像情報を復元できない印刷物は、偽物であることが判定できる。すなわち、上記画像処理装置１０では、コピー（偽物）が作成できない合成画像情報を印刷した記録物が作成できる。
【００３５】
上述したように、上記第１の実施の形態に係る画像処理装置１０では、副画像情報によって格子パターンＨを変調し、変調した画像情報（被埋め込み画像情報）を主画像情報の主走査方向に対して所定の角度傾けた状態で主画像情報に重畳した合成画像情報を作成するようにしたものである。これにより、副画像情報を復元可能な状態で複製（コピー）することが困難な合成画像情報を作成することができ、上記のような合成画像情報を印刷した記録物のコピー耐性を向上させることができる。
【００３６】
次に、第２の実施の形態について説明する。  
図４は、第２の実施の形態に係る画像処理装置２０の構成例を示す図である。  
第２の実施の形態に係る画像処理装置２０は、上記第１の実施の形態として説明した画像処理装置１０と同様に、パーソナルコンピュータなどの電子計算機、あるいは、専用の処理ボードなどにより構成される。また、上記画像処理装置２０、外部装置２およびプリンタ３は、印刷物を作成するための画像処理システムを構成している。すなわち、上記画像処理装置２０は、上記画像処理装置１０と同様に、上記外部装置２および上記プリンタ３に接続されている。なお、上記外部装置２およびプリンタ３は、上記第１の実施の形態で説明したものと同様であるため、詳細な説明を省略する。
【００３７】
上記画像処理装置２０は、図４に示すように、画像入力部２１、平滑処理部２２、位相変調処理部２３、色差変調処理部２４、回転処理部２５、重畳処理部２６、画像出力部２７、、逆回転処理部２８などを有している。上記平滑処理部２２、位相変調処理部２３、色差変調処理部２４、回転処理部２５、重畳処理部２６、逆回転処理部２８は、電子計算機で動作するアプリケーションプログラムにより実現されるものとする。上記平滑処理部２２、位相変調処理部２３、色差変調処理部２４、回転処理部２５、重畳処理部２６、逆回転処理部２８は、それぞれ専用のハードウエアで構成するようにしても良い。
【００３８】
なお、上記画像入力部２１、平滑処理部２２、位相変調処理部２３、色差変調処理部２４、画像出力部２７は、上記第１の実施の形態で説明した、上記画像入力部１１、平滑処理部１２、位相変調処理部１３、色差変調処理部１４、画像出力部１７と同様であるため、詳細な説明を省略する。
【００３９】
上記回転処理部２５は、主画像情報Ｉｍを所定の角度回転させるものである。上記回転処理部２５による回転角度は、主画像情報Ｉｍにおける主走査方向と副画像情報Ｉｓによって格子パターンＨを色差変調した被埋め込み画像情報とのなす角度である。上記回転処理部２５における回転処理の回転角度は、上記第１の実施の形態で説明したように、合成画像情報Ｉｃを印刷するためのプリンタ３における主走査方向の解像度と副走査方向の解像度との比率によって設定されるものである。たとえば、プリンタ３における主走査方向の解像度と副走査方向の解像度とが同じである場合、上記回転処理部２５における回転角度は、４５度に設定される。プリンタ３における主走査方向の解像度に対して副走査方向の解像度が２倍である場合、上記回転処理部２５における回転角度は、約２６．６度に設定される。
【００４０】
上記重畳処理部２６では、上記回転処理部２５により回転された主画像情報に対して、上記色差変調処理部１４で副画像情報によって格子パターンＨを色差変調した画像情報を重畳する処理を行う。すなわち、上記画像処理装置１０の重畳処理部１６では主画像情報に被埋め込み画像情報を所定の角度回転させた状態で埋め込む処理を行うのに対して、上記画像処理装置２０の重畳処理部２６では、所定の角度回転させた状態の主画像情報に所定の処理が施された副画像情報（被埋め込み画像情報）を埋め込む処理を行う。
【００４１】
上記逆回転処理部２８は、上記重畳処理部２６により生成された合成画像情報Ｉｃを上記回転処理部２５による回転とは逆の方向に所定の角度回転（つまり、逆回転）させる処理を行う。すなわち、上記逆回転処理部２８は、合成画像情報Ｉｃの主走査方向（印刷時の主走査方向）を主画像情報Ｉｍの主走査方向とし、主画像情報Ｉｍに埋め込まれた副画像情報Ｉｓが主走査方向に対して所定の角度傾いた状態とする。
【００４２】
図５（ａ）および図５（ｂ）は、主画像情報に対する回転処理および合成画像情報に対する逆回転処理の例を説明するための図である。  
まず、図５（ａ）に示すような主画像情報Ｉｍが与えられたものとする。この場合、上記回転処理部２５では、図５（ａ）に示すような主画像情報Ｉｍを右方向に４５度回転させる。この結果として、上記回転処理部２５は、図５（ａ）に示すような状態の主画像情報Ｉｍを、図５（ｂ）に示すような状態の主画像情報Ｉｍに変換する。  
上記重畳処理部２６では、上記回転処理部２５により回転された主画像情報の副走査方向（縦方向）の１ラインおきに色差変調された画像情報の各画素を重畳する。すなわち、上記重畳処理部２６は、図５（ｂ）に示す例において黒く塗りつぶした各画素に上記色差変調処理部２４により色差変調された画像情報の各画素を重畳する。
【００４３】
上記逆回転処理部２８では、上記重畳処理部２６の重畳処理により作成された合成画像情報を上記回転処理部２５による回転処理とは逆に回転させる。すなわち、上記逆回転処理部２８では、図５（ｂ）に示すような合成画像情報Ｉｃを左方向に４５度回転させる。この結果として、上記逆回転処理部２８は、図５（ｂ）のような状態の合成画像情報Ｉｃを図５（ａ）に示すような状態の合成画像情報Ｉｃに変換する。  
これらの処理により、上記逆回転処理部２８により処理された合成画像情報Ｉｃでは、図５に示すように、黒く塗りつぶした画素が千鳥状に並ぶことになる。すなわち、上記のような処理によって、図２に示すような第１の実施の形態で説明した合成画像情報Ｉｃと同様な画素配列の合成画像情報を生成することができる。
【００４４】
なお、上記第１の実施の形態で説明した画像処理装置１０では、副画像情報Ｉｓによって色差変調させた格子パターンＨを回転させた状態で主画像情報Ｉｍに埋め込む（つまり、上記画像処理装置１０では、色差変調処理の結果に対して回転処理を行う）。これに対して、上記第２の実施の形態で説明した画像処理装置２０では、主画像情報Ｉｍを回転させた状態で副画像情報Ｉｓによって色差変調させた格子パターンＨを埋め込む（つまり、上記画像処理装置２０では主画像情報に回転処理を行い、重畳処理の結果に対して逆回転処理を行う）ようにしたものである。すなわち、何れの画像処理装置１０、２０であっても、主画像情報Ｉｍの主走査方向に対して、副画像情報Ｉｓによって格子パターンＨを色差変調した画像情報（被埋め込み画像情報）を所定の角度傾けた状態で主画像情報Ｉｍに埋め込んだ合成画像情報が作成される。
【００４５】
上述したように、上記第２の実施の形態に係る画像処理装置２０では、主画像情報を所定の角度回転させ、副画像情報によって格子パターンＨを色差変調した画像情報を所定角度回転させた主画像情報に重畳し、さらに、副画像情報を所定の角度回転させた主画像情報に重畳した合成画像情報を逆回転させることにより、プリンタにより記録媒体に記録させるための合成画像情報を作成するようにしたものである。これにより、副画像情報を復元可能な状態で複製（コピー）することが困難な合成画像情報を作成することができ、上記のような合成画像情報を印刷した記録物のコピー耐性を向上させることができる。
【００４６】
次に、上記第１あるいは第２の実施の形態に係る画像処理装置１０、２０で生成された合成画像情報が印刷された記録物Ｐ１について説明する。  
図６は、上記のような画像処理装置１０、２０により生成された合成画像情報が記録される記録物Ｐ１の一例としてのＩＤ証３０の例を示す図である。  
図６に示すように、記録物Ｐ１としてのＩＤ証３０には、合成画像情報Ｉｃとしての合成顔画像３１と文字画像３２とが記録されている。ＩＤ証３０には、偽変造対策を施す必要がある。このため、ＩＤ証３０には、副画像情報３１ｂを主画像情報３１ａとしての顔画像に埋め込んだ合成顔画像３１が記録されている。上記合成顔画像３１は、主走査方向と副走査方向とに並んだ画素により構成されている。ここで、ＩＤ証の本人の顔画像を主画像情報３１ａとし、図６に点線で示す☆印を副画像情報３１ｂとするものとする。ただし、副画像情報３１ｂは、人の目には視認できない状態となっているものである。
【００４７】
図６に示す例では、主画像情報としての顔画像３１ａの縦方向（主走査方向）に、格子パターンＨを副画像情報３１ｂによって色差変調した画像情報が、顔画像３１ａの主走査方向に対して所定の角度（図６に示す例では、４５度）傾けた状態で顔画像３１ａに埋め込まれていることを示している。図６では、主画像情報３１ａとしての顔画像に埋め込まれている副画像情報（☆印）３１ｂの状態を点線で示している。上述したように、副画像情報３１ｂは、実際には人の目には視認できない状態で主画像情報３１ａとしての顔画像に埋め込まれているものであるが、図６に示すように、主画像情報３１ａとしての顔画像の主走査方向に対して所定の角度で傾けた状態で埋め込まれている。
【００４８】
また、図６に示すように、上記合成画像情報が記録される記録物Ｐ１は、ＩＤ証３０に用いられることが想定される。  
通常、ＩＤ証では、本人確認のための本人の顔画像が記録されていることが多い。ＩＤ証における顔画像は、人間（第３者）が目で見て本人であるか否かを確認するための情報である。このため、ＩＤ証３０に記録される合成顔画像３１の主画像情報３１ａとしての顔画像は、人が見やすい状態であることが好ましい。図６に示す例では、ＩＤ証３０に記録される合成顔画像３１の主画像情報３１ａとしての顔画像は、多階調のカラー画素からなるカラー画像である。
【００４９】
また、副画像情報３１ｂは、当該記録物Ｐ１の真偽を判定するための情報である。つまり、ＩＤ証３０に記録されている合成顔画像３１の副画像情報３１ｂは、当該ＩＤ証３０の真偽判定において、正しく復元できるか否かを判定するための情報である。このため、ＩＤ証３０に記録される合成顔画像３１の副画像情報３１ｂは、真偽判定がしやすいものであることが好ましい。図６に示す例では、ＩＤ証３０に記録される合成顔画像３１の副画像情報３１ｂは、２値の画素からなる２値画像である。
【００５０】
上記のような合成顔画像３１を記録した記録物Ｐ１としてのＩＤ証３０では、顔画像３１ａに埋め込まれている副画像情報３１ｂによって格子パターンＨを色差変調した上記上埋め込み画像情報が顔画像３１ａの主走査方向に対して所定の角度傾けた状態となっている。このため、上記ＩＤ証３０は、コピー時に行われる解像度変換によって合成顔画像３１における副画像情報３１ｂが保存されにくくなり、複製が困難であるようになっている。
【図面の簡単な説明】
【００５１】
【図１】第１の実施の形態に係る画像処理装置の構成例を示す図。
【図２】合成画像情報の一部における画素配列の例を示す図。
【図３】副画像情報の一部における画素配列の例を示す図。
【図４】第２の実施の形態に係る画像処理装置の構成例を示す図。
【図５】第２の実施の形態における回転処理および逆回転処理の例を説明するための図。
【図６】記録物の一例としてのＩＤ証の例を概略的に示す図。
【符号の説明】
【００５２】
Ｉｍ…主画像情報、Ｉｓ…副画像情報、Ｈ…格子パターン、Ｉｃ…合成画像情報、Ｐ１…記録物、３…プリンタ、１０（２０）…画像処理装置、１１（２１）…画像入力部、１２（２２）…平滑処理部、１３（２３）…位相変調処理部、１４（２４）…色差変調処理部、１５（２５）…回転処理部、１６（２６）…重畳処理部、１７（２７）…画像出力部、２８…逆回転処理部、３０…ＩＤ証、３１…合成顔画像、３１ｂ…副画像情報（２値画像）、３１ａ…主画像情報（顔画像）
【図１】
2009065364.tif 000003
【図２】
2009065364.tif 000004
【図３】
2009065364.tif 000005
【図４】
2009065364.tif 000006
【図５】
2009065364.tif 000007
【図６】
2009065364.tif 000008